(57)【要約】【課題】本発明は印刷装置の消費電力を計算する消費電力計算装置に関し、特に少ないメモリ容量で印刷装置の消費電力を計算でき、リザーブのメモリも必要なく、印刷速度の変更においても容易に対応できる消費電力計算装置を提供するものである。【解決手段】モータを駆動することによって記録媒体を搬送し、該記録媒体に印刷データに従った印刷処理を行う印刷装置の消費電力計算装置であって、紙種によって異なる記録媒体の印刷搬送速度と電力値から、上記モータの回転数に対応する特定電力値を計算する第１の計算手段と、上記特定電力値とモータの回転数の積を計算してモータの積算電力を計算する第２の計算手段とを有し、上記モータの積算電力と、該モータの積算電力以外の積算電力を加算し、上記印刷装置の消費電力を計算することを特徴とする。【選択図】    図１
2010149451.tif 000002
【特許請求の範囲】
【請求項１】
モータを駆動することによって記録媒体を搬送し、該記録媒体に印刷データに従った印刷処理を行う印刷装置の消費電力計算装置において、
紙種によって異なる記録媒体の印刷搬送速度と電力値から、前記モータの回転数に対応する特定電力値を計算する第１の計算手段と、
前記特定電力値と前記モータの回転数の積を計算してモータの積算電力を計算する第２の計算手段とを有し、
前記モータの積算電力と、該モータの積算電力以外の積算電力を加算し、前記印刷装置の消費電力を計算することを特徴とする消費電力計算装置。
【請求項２】
前記モータの積算電力以外の積算電力は、ヒータ電力、待機電力、及びスリープ電力であることを特徴とする請求項１に記載の消費電力計算装置。
【請求項３】
前記特定電力値は、カラー印刷及びモノクロ印刷において、それぞれ設定されていることを特徴とする請求項１、又は２に記載の消費電力計算装置。
【請求項４】
前記モータの積算電力の計算は、一定間隔、又は印刷処理の終了時に行うことを特徴とする請求項１に記載の消費電力計算装置。
【請求項５】
モータを駆動することによって記録媒体を搬送し、該記録媒体に印刷データに従った印刷処理を行う印刷装置に使用するプログラムであって、
紙種によって異なる記録媒体の印刷搬送速度と電力値から、前記モータの回転数に対応する特定電力値を計算する処理と、
前記特定電力値と前記モータの回転数の積を計算してモータの積算電力を計算する処理と、
前記モータの積算電力と、該モータの積算電力以外の積算電力を加算し、前記印刷装置の消費電力を計算する処理と、
を印刷装置を使用して実行させることを特徴とするプログラム。
【発明の詳細な説明】
【技術分野】
【０００１】
本発明は印刷装置において、特に消費電力を計算する消費電力計算装置に関する。
【背景技術】
【０００２】
今日、地球環境の保持が世界的に叫ばれ、地球温暖化防止会議を中心として温室効果ガスの排出規制が実現化に向かっている。このような状況において、プリンタ装置や複写機等の印刷装置においても、消費電力の削減が要求されている。このため、印刷装置の消費電力の計算は不可欠であり、効率よく且つ大きなメモリを使用することなく消費電力の計算を行うことが求められている。
【０００３】
従来の印刷装置における消費電力の計算は以下の計算式を用いて行われていた。すなわち、「ヒータの積算電力＋モータの積算電力＋その他の積算電力」の計算を行い、印刷装置の消費電力を計算していた。
ここで、ヒータの積算電力はヒータの定格電力と通電時間とヒータ係数の積で計算され、ヒータ係数はヒータの突入電流分を考慮して決定される。また、その他の積算電力は待機電力とスリープ電力と印刷電力であり、待機電力は待機時間との積によって計算され、スリープ電力はスリープ時間との積によって計算され、印刷電力は印刷時間との積によって計算されている。
【０００４】
また、モータの積算電力は、用紙の搬送、定着、ベルト駆動、現像装置内の各種ローラ等を回転させるためのモータ電力であり、カラー印刷の場合、例えばシアン（Ｃ）、ブラック（Ｋ）、マゼンタ（Ｍ）、及びイエロー（Ｙ）の４色を使用する場合であれば、現像装置の駆動には４倍のモータ必要となる。また、モータの積算電力は使用する記録媒体（用紙）の紙種によって異なり、例えば普通紙、厚紙、OHP紙の場合、以下の印刷速度と電力値に基づいて計算される。
印刷モート゛   印刷速度  カラー     モノクロ
[mm/s]    [W]        [W]
普通紙       130       130        78
厚紙         100       100        60
OHP紙        50        50         30
このため、モータの積算電力は以下の計算式によって計算される。
「モータの積算電力＝（普通紙のカラー電力値×普通紙のカラー印刷時間）                  ＋（厚紙のカラー電力値×厚紙のカラー印刷時間）＋（OHP紙のカラー電力値×OHP紙のカラー印刷時間）＋（普通紙のモノクロ電力値×普通紙のモノクロ印刷時間）                  ＋（厚紙のモノクロ電力値×厚紙のモノクロ印刷時間）＋（OHP紙のモノクロ電力値×OHP紙のモノクロ印刷時間）」
【０００５】
尚、積算電力に関する先行技術としては、特許文献１に電気式床暖房システムにおける簡易な消費電力表示装置の発明が開示され、特許文献２には計算した電力の累計を格納する使用電力累計テーブルを利用した画像形成装置の発明が開示され、特許文献３には省電力モードにおける電力削減を明確に計算する画像形成装置の発明が開示されている。
【特許文献１】特開２００７−１７０７０８号公報
【特許文献２】特開２００４−０８５９８５号公報
【特許文献３】特開２００５−１３２０４５号公報
【発明の開示】
【発明が解決しようとする課題】
【０００６】
しかしながら、上記従来の消費電力の計算方法では以下の問題がある。
以下に示す表は、前述のヒータ電力、待機電力、印刷電力、スリープ電力、モータ積算電力を計算し、印刷装置全体の消費電力を求めるためのメモリ容量を説明するものである。
項目                   単位    ヒ゛ット数       備考
ヒータ１ON時間          秒      22     500W 30万枚印刷と待機で１000時間
ヒータ２ON時間          秒      22     500W 30万枚印刷と待機で１000時間
待機時間                秒      28     ５年保障
印刷時間                秒      22     1枚 13sで30万枚保障
スリープ時間            秒      28     ５年保障
普通紙カラー印刷時間    秒      22     上記印刷時間と同じヒ゛ット数
厚紙カラー印刷時間      秒      22     
OHPカラー印刷時間       秒      22     
リザーブ                秒      22     
リザーブ                秒      22     
普通紙モノクロ印刷時間  秒      22     
厚紙モノクロ印刷時間    秒      22     
OHPモノクロ印刷時間     秒      22     
リザーブ                秒      22     
リザーブ                秒      22     
例えば、ヒータ電力を求める場合、３０万枚の印刷と、待機１０００時間とすると、ヒータオン時間を記録するためには２２ビットのメモリ容量を必要とし、例えば２台のヒータ１、２を使用すれば４４ビットのメモリ容量が必要となる。また、待機電力、及びスリープ電力については、例えば５年間保障と考えて待機時間、及びスリープ時間の記録にそれぞれ２８ビットのメモリ容量が必要となる。また、印刷電力の計算では、１枚１３秒で印刷出力を行うものとして３０万枚を保障すると、印刷時間の記録に２８ビットのメモリ容量が必要となる。
【０００７】
さらに、前述の普通紙、厚紙、OHP紙の３種類の紙種を使用する場合、カラー印刷とモノクロ印刷を含めて、印刷時間の記録に２２×６ビットのメモリ容量が必要となり、極めて大きな容量のメモリが必要となる。
【０００８】
また、上記表に示すリザーブは、新たな紙種の装着に備えて必要であるメモリを確保するものであり、例えば２２×４ビット分のメモリ容量を確保する。したがって、従来では上記メモリ容量も必要となる。さらに、印刷速度を変更する場合にも、紙種によって電力値を変更しなければならない。  
【０００９】
そこで、本発明は少ないメモリ容量で印刷装置の消費電力を計算でき、リザーブ用のメモリ容量も必要なく、印刷速度の変更においても容易に対応できる消費電力計算装置を提供するものである。
【課題を解決するための手段】
【００１０】
上記課題は第１の発明によれば、モータを駆動することによって記録媒体を搬送し、該記録媒体に印刷データに従った印刷処理を行う印刷装置の消費電力計算装置において、紙種によって異なる記録媒体の印刷搬送速度と電力値から、前記モータの回転数に対応する特定電力値を計算する第１の計算手段と、前記特定電力値と前記モータの回転数の積を計算してモータの積算電力を計算する第２の計算手段とを有し、前記モータの積算電力と、該モータの積算電力以外の積算電力を加算し、前記印刷装置の消費電力を計算する消費電力計算装置を提供することによって達成できる。
【００１１】
また、上記課題は第２の発明によれば、前記モータの積算電力以外の積算電力は、ヒータ電力、待機電力、及びスリープ電力である消費電力計算装置を提供することによって達成できる。
【００１２】
また、上記課題は第３の発明によれば、前記特定電力値は、カラー印刷及びモノクロ印刷において、それぞれ設定されている消費電力計算装置を提供することによって達成できる。
【００１３】
また、上記課題は第４の発明によれば、前記モータの積算電力の計算は、一定間隔、又は印刷処理の終了時に行う消費電力計算装置を提供することによって達成できる。
【００１４】
さらに、上記課題は第５の発明によれば、モータを駆動することによって記録媒体を搬送し、該記録媒体に印刷データに従った印刷処理を行う印刷装置に使用するプログラムであって、紙種によって異なる記録媒体の印刷搬送速度と電力値から、前記モータの回転数に対応する特定電力値を計算する処理と、前記特定電力値と前記モータの回転数の積を計算してモータの積算電力を計算する処理と、前記モータの積算電力と、該モータの積算電力以外の積算電力を加算し、前記印刷装置の消費電力を計算する処理とを印刷装置を使用して実行させるプログラムを提供することによって達成できる。
【発明の効果】
【００１５】
本発明によれば、少ないメモリ容量で印刷装置の消費電力を計算でき、リザーブのメモリ容量も必要なく、印刷速度の変更においても容易に対応できる消費電力計算装置を提供することを目的とする。
【発明を実施するための最良の形態】
【００１６】
以下、本発明の実施の形態を図面に基づいて説明する。
図１は、本実施形態における印刷装置（以下、プリンタ装置で示す）の内部構成を説明する断面図である。
同図に示すプリンタ装置１は、電子写真式で二次転写方式のタンデム型のカラーのプリンタ装置であり、４つの画像形成部２、中間転写ベルトユニット３、給紙部４、及び両面印刷用搬送ユニット５で構成されている。
【００１７】
上記画像形成部２は、同図の右から左へ４個の画像形成ユニット６（６Ｍ、６Ｃ、６Ｙ、６Ｋ）を多段式に並設した構成から成る。上記４個の画像形成ユニット６のうち上流側（図の右側）の３個の画像形成ユニット６Ｍ、６Ｃ、及び６Ｙは、それぞれ減法混色の三原色であるマゼンタ（Ｍ）、シアン（Ｃ）、イエロー（Ｙ）の色トナーによるカラー画像を形成し、画像形成ユニット６Ｋは、主として文字や画像の暗黒部分等に用いられるブラック（Ｋ）トナーによるモノクロ画像を形成する。
【００１８】
上記の各画像形成ユニット６は、トナー容器に収納されたトナーの色を除き全て同じ構成である。したがって、以下ブラック（Ｋ）用の画像形成ユニット６Ｋを例にしてその構成を説明する。
【００１９】
画像形成ユニット６は、最下部に感光体ドラム７を備えている。この感光体ドラム７は、その周面が例えば有機光導電性材料で構成され、周面近傍を取り巻いて、クリーナ８、帯電ローラ９、光ヘッド１１、及び現像器１２の現像ローラ１３が配置されている。
【００２０】
現像器１２は、上部のトナー容器に、同図にはＭ、Ｃ、Ｙ、Ｋで示すようにマゼンタ（Ｍ）、シアン（Ｃ）、イエロー（Ｙ）、ブラック（Ｋ）のいずれかのトナーを収容し、中間部には下部へのトナー補給機構を備え、下部には側面開口部に上述した現像ローラ１３を備え、内部にトナー撹拌部材、現像ローラ１３にトナーを供給するトナー供給ローラ、現像ローラ１３上のトナー層を一定の層厚に規制するドクターブレード等を備えている。
【００２１】
中間転写ベルトユニット３は、本体装置のほぼ中央で図の左右のほぼ端から端まで扁平なループ状になって延在する無端状の転写ベルト１４、この転写ベルト１４を掛け渡されて転写ベルト１４を図の反時計回り方向に循環移動させる駆動ローラ１５、及び従動ローラ１６を備えている。
【００２２】
尚、上記転写ベルト１４には、トナー像が直接ベルト面に転写（一次転写）され、そのトナー像を更に用紙に転写（二次転写）すべく用紙への転写位置まで搬送するので、ここではユニット全体を中間転写ベルトユニットとして示している。
【００２３】
この中間転写ベルトユニット３は、上記扁平なループ状の転写ベルト１４のループ内にベルト位置制御機構１７を備えている。ベルト位置制御機構１７は、転写ベルト１４を介して感光体ドラム７の下部周面に押圧する導電性発泡スポンジから成る一次転写ローラ１８を備えている。
【００２４】
ベルト位置制御機構１７は、マゼンタ（Ｍ）、シアン（Ｃ）、及びイエロー（Ｙ）の３個の画像形成ユニット６Ｍ、６Ｃ、及び６Ｙに対応する３個の一次転写ローラ１８を鉤型の支持軸を中心に同一周期で回転移動させ、ブラック（Ｋ）の画像形成ユニット６Ｋに対応する１個の一次転写ローラ１８を上記３個の一次転写ローラ１８の周期と異なる回転移動周期で回転移動させて転写ベルト１４を感光体ドラム７から離接させ、フルカラーモード（４個全部の一次転写ローラ１８が転写ベルト１４に当接）、モノクロモード（画像形成ユニット６Ｋに対応する一次転写ローラ１８のみが転写ベルト１４に当接）、及び全非転写モード（４個全部の一次転写ローラ１８が転写ベルト１４から離れる）に切換える。
【００２５】
上記中間転写ベルトユニット３には、上面部のベルト移動方向最上流側の画像形成ユニット６Ｍの更に上流側に、ベルトクリーナユニットが配置され、下面部のほぼ全面に沿い付けるように平らで薄型の廃トナー回収容器１９が着脱自在に配置されている。
給紙部４は、上下３段に配置された３個の給紙カセット２１ａ〜２１ｃを備え、３個の給紙カセット２１ａ〜２１ｃの給紙口（図の右方）近傍には、それぞれ用紙取出ローラ２２、給送ローラ２３、捌きローラ２４、待機搬送ローラ対２５が配置されている。待機搬送ローラ対２５の用紙搬送方向（図の鉛直上方向）には、転写ベルト１４を介して従動ローラ１６に圧接する二次転写ローラ２６が配設されて、用紙への二次転写部を形成している。
【００２６】
また、上記３個の給紙カセット２１ａ〜２１ｃには、それぞれ異なる記録媒体が収納され、例えば給紙カセット２１ａには普通紙が収納され、また２１ｂには厚紙が収納され、２１ｃにはOHP紙が収納されている。そして、後述する制御に従って、指定された給紙カセット２１ａ〜２１ｃから対応する用紙が搬出される。
【００２７】
上記二次転写部の下流（図では上方）側にはベルト式熱定着装置２７が配置されて、ベルト式熱定着装置２７の更に下流側には、定着後の用紙をベルト式熱定着装置２７から搬出する搬出ローラ対２８、及びその搬出される用紙を装置上面に形成されている排紙トレイ２９に排紙する排紙ローラ対３１が配設されている。また、ベルト式熱定着装置２７には２本のヒータ４１、４２が配設され、後述するヒータ電力の計算が行なわれる。
【００２８】
両面印刷用搬送ユニット５は、上記搬出ローラ対２８と排紙ローラ対３１との中間部の搬送路から図の右横方向に分岐した開始返送路３２ａ、それから下方に曲がる中間返送路３２ｂ、更に上記とは反対の左横方向に曲がって最終的に返送用紙を反転させる終端返送路３２ｃ、及びこれらの返送路の途中に配置された４組の返送ローラ対３３ａ、３３ｂ、３３ｃ、３３ｄを備えている。尚、上記終端返送路３２ｃの出口は、給紙部４の下方の給紙カセット２１に対応する待機搬送ローラ対２５への搬送路に連絡している。
【００２９】
また、本例において中間転写ベルトユニット３の上面部には、クリーニング部３５、取り込みローラ３６が配置されている。クリーニング部３５は、転写ベルト１４の上面に当接して廃トナーを擦り取って除去し、取り込みローラ３６はクリーニング部３５が除去した廃トナーを引き継いで、不図示のベルトクリーナユニットの一時貯留部に溜め込み、その溜め込まれた廃トナーを搬送スクリューにより落下筒内を上部まで搬送し、落下筒を介して廃トナー回収容器１９に回収している。
【００３０】
また、上記のクリーニング部３５を適度の圧力で転写ベルト１４に圧接させるために、中間転写ベルトユニット３側には、下方から転写ベルト１４をクリーニング部３５に向けて押圧する押圧ローラ３７が設けられている。また、上記各種ローラは不図示のモータによって駆動し、該モータの回転数が計測される。
また、上記モータの回転数や、ヒータ４１、４２の駆動時間、後述する装置の待機時間、スリープ時間等のデータは、印刷装置１の制御部４０のＥＥＰＲＯＭ４０ａに記録される。
【００３１】
次に、本例で使用する特定電力値の計算について、図２を用いて説明する。
モータの駆動電力は用紙の搬送速度にほぼ比例し、例えば用紙を１ｍ搬送するための積算電力は、以下のようになる。
先ず、普通紙のカラー印刷の場合、図２に示すようにモータ電力は１３０Ｗであり、モータが１時間回転すると１３０Ｈｈの積算電力となる。また、１時間に用紙が進む距離は１３０ｍｍ/ｓ×３６００ｓ＝４６８０００ｍｍ（４６８ｍ）となる。したがって、１ｍの積算電力（特定電力値）は１３０Ｗｈ÷４６８０００ｍｍ×１０００ｍｍ≒０．２７８Ｗｈ/ｍとなる。
【００３２】
また、厚紙のカラー印刷の場合、図２に示すようにモータ電力は１００Ｗであり、モータが１時間回転すると１００Ｗｈ/ｍの積算電力となる。また、上記と同様、１時間に用紙が進む距離は１００ｍｍ/ｓ×３６００ｓ＝３６００００ｍｍ（３６０ｍ）となる。したがって、１ｍの積算電力は１００Ｗｈ÷３６００００ｍｍ×１０００ｍｍ≒０．２７８Ｗｈ/ｍとなり、厚紙の場合も普通紙と同じ特定電力値となる。さらに、OHP紙の場合も同様であり、特定電力値は約０．２７８Ｗｈ/ｍとなる。
【００３３】
一方、普通紙のモノクロ印刷の場合にも同様の計算を行うと、特定電力値は０．１６７Ｗｈ/ｍとなり、カラー印刷の場合と同様、厚紙場合、及びOHP紙の場合も同じ値となる。
したがって、本例ではモータの積算電力を計算する際、カラー印刷の場合には０．２７８Ｗｈ/ｍの特定電力値を使用し、モノクロ印刷の場合には０．１６７Ｗｈ/ｍの特定電力値を使用し、これらのデータを前述のＥＥＰＲＯＭ４０ａに記憶する。
【００３４】
次に、本例の処理動作を説明する。
図３は本例の処理を説明する主となるフローチャートである。先ず、印刷装置１の初期化を行い、前述のＥＥＰＲＯＭ４０ａから消費電力の計算に必要なデータを読み出す（ステップ（以下、Ｓで示す）１）。この時読み出すデータは、上記特定電力値のデータや、図４に示すヒータ４１、４２のオン時間、待機時間、印刷時間、スリープ時間の各データである。尚、これらの時間は後述する処理によって、順次ＥＥＰＲＯＭ４０ａに更新されるデータであり、これらのデータに基づいて電力計算を行う（Ｓ２）。
【００３５】
図５に示すフローチャートは、具体的な消費電力の計算処理を示し、ヒータ積算電力、モータ積算電力、待機電力、印刷電力、スリープ電力の和を計算する。具体的には、図５に示す処理（Ｓ３）を実行する。
先ず、ヒータ４１のヒータ電力として、５００Ｗ×ヒータ４１のオン時間×係数１÷３６００を計算する。この場合、係数１はヒータ４１をオンした際の突入電流を考慮した値であり、３６００の割り算は１時間に換算するためである。また、同様に、ヒータ４２のヒータ電力についても、５００Ｗ×ヒータ４２のオン時間×係数２÷３６００の計算を行なう。この場合も、係数２はヒータ４２をオンした際の突入電流を考慮した値であり、３６００の割り算は１時間に換算するためである。尚、ヒータ４１、及び４２のオン時間の計測処理については、後述する。
【００３６】
次に、モータの積算電力を計算する。モータの積算電力は、前述の特定電力値にカラー印刷の際の用紙の移動距離を掛け算し、特定電力値にモノクロ印刷の際の用紙の移動距離を掛け算し、それぞれを加算して計算する。具体的には、（（０．２７８×カラー印刷の際のモータの回転数＋０．１６７×モノクロ印刷の際のモータの回転数）÷１０）の計算処理を行って求める。尚、１０の割り算はＥＥＰＲＯＭ４０ａには１００ｍｍ単位の移動距離が記録されるため、１ｍ単位に換算するものである。
【００３７】
本例によれば、１ｍ当りの積算電力は印刷モードが変わってもカラー印刷の場合、前述の特定電力値０．２７８Ｗｈ/ｍを使用して計算でき、モノクロ印刷の場合特定電力値０．１６７Ｗｈ/ｍを使用して計算でき、（カラー電力×カラー印刷距離＋モノクロ電力×モノクロ距離）を計算することによって算出することができる。すなわち、従来の印刷時間を測定して積算電力を算出する方法では、単位時間当たりの電力は印刷速度と比例して電力が変わるので、どの印刷速度で印刷した時間かを記憶する必要があったが、本例では、印刷距離から積算電力を算出することができ、簡単な計算によってモータの積算電力を計算することができる。
【００３８】
次に、待機電力を計算する。この待機電力の計算は、待機電力×待機時間によって算出することができる。また、印刷電力も印刷電力×印刷時間によって算出することができ、更にスリープ電力もスリープ電力×スリープ時間によって算出することができる。
【００３９】
次に、前述の図３に示す処理に戻り、印刷データがあるか判断する（Ｓ４）。ここで、印刷データが入力していなければ印刷データの入力を待ち（Ｓ４がＮＯ）、印刷データが入力すると（Ｓ４がＹＥＳ）、画像作成が完了したか判断する（Ｓ５）。そして、画像作成処理が完了していなければ、画像作成の完了を待ち（Ｓ５がＮＯ）、画像作成が完了すれば（Ｓ５がＹＥＳ）、指定された印刷モードの印刷処理を開始する（Ｓ６）。
【００４０】
例えば、普通紙印刷であれば、普通紙を給紙部４の給紙カセット２１ａから搬出し、前述の搬送路を介して画像形成部２に搬送し、印刷データに従った印刷処理を行う。また、厚紙印刷の場合には、給紙部４の給紙カセット２１ｂから搬出し、前述の搬送路を介して画像形成部２に搬送し、印刷データに従った印刷処理を行う。さらに、OHP紙の場合には、給紙部４の給紙カセット２１ｃから搬出し、前述の搬送路を介して画像形成部２に搬送し、印刷データに従った印刷処理を行う。
【００４１】
この間、図６に示すフローチャートに従って、カラー印刷であれば（ステップ（以下、ＳＴで示す）１がＹＥＳ）、１００ｍｍ分の印刷処理が進む毎に（ＳＴ２）、モータの回転数に対応させてカラーの印字距離を＋１する（ＳＴ３）。また、モノクロ印刷であれば（ＳＴ１がＮＯ、ＳＴ４）、１００ｍｍ分の印刷処理が進む毎に（ＳＴ５）、モータの回転数に対応させてモノクロの印字距離を＋１する（ＳＴ６）。そして、上記計数値はＥＥＰＲＯＭ４０ａに順次記録される。
【００４２】
一方、ヒータ電力の計算に使用するヒータ時間については、図７に示すフローチャートに従って、先ず温度制御があるか判断し（ステップ（以下、ＳＴＰで示す）１）、温度制御がない場合（ＳＴＰ１がＮＯ）、ヒータ４１をオフし、不図示のヒータ監視タイマをストップする（ＳＴＰ２）。一方、温度制御がある場合（ＳＴＰ１がＹＥＳ）、予め設定された温度以上であるか判断する（ＳＴＰ３）。そして、設定された温度以上ではなく（ＳＴＰ３がＮＯ）、かつヒータ監視タイマが停止中であれば、ヒータ監視タイマをスタートし（ＳＴＰ４、ＳＴＰ５）、ヒータ監視タイマが動作中であれば、ヒータ監視タイマが１秒経過するのを待ち（ＳＴＰ６）、ヒータ時間を＋１する（ＳＴＰ７）。
【００４３】
また、ヒータ４２についても同様であり、図８に示すフローチャートに従って、先ずヒータ４２に対する温度制御があるか判断し（ステップ（以下、Ｗで示す）１）、温度制御がない場合（Ｗ１がＮＯ）、ヒータ４２をオフし、不図示のヒータ監視タイマをストップする（Ｗ２）。一方、温度制御がある場合（Ｗ１がＹＥＳ）、予め設定された温度以上であるか判断し（Ｗ３）、設定された温度以上ではなく（Ｗ３がＮＯ）、かつヒータ監視タイマが停止中であれば、ヒータ監視タイマをスタートし（Ｗ４、Ｗ５）、ヒータ監視タイマが動作中であれば、ヒータ監視タイマが１秒経過するのを待ち（Ｗ６）、ヒータ時間を＋１する（Ｗ７）。
【００４４】
このようにして計数されるヒータ監視タイマのカウント値はＥＥＰＲＯＭ４０ａに順次記録され、前述のヒータの積算電力の計算に使用される。
また、待機時間の計数についても、図９に示すフローチャートに従って、先ず待機状態であるか判断し（ステップ（以下、Ｕで示す）１）、待機状態ではない場合（Ｕ１がＮＯ）、不図示の待機監視タイマをストップする（Ｕ２）。一方、待機状態である場合（Ｕ１がＹＥＳ）、待機監視タイマが停止中であるか判断し（Ｕ３）、待機監視タイマが停止中であれば、待機監視タイマをスタートし（Ｕ４）、待機監視タイマが動作中であれば、待機監視タイマが１秒経過するのを待ち（Ｕ５）、待機時間を＋１する（Ｕ６）。
【００４５】
このようにして計数される待機監視タイマのカウント値はＥＥＰＲＯＭ４０ａに順次記録され、前述の待機電力の計算に使用される。
また、印字時間の計数についても、図１０に示すフローチャートに従って、先ず印字状態であるか判断し（ステップ（以下、Ｖで示す）１）、印字状態ではない場合（Ｖ１がＮＯ）、不図示の印字監視タイマをストップする（Ｖ２）。一方、印字状態である場合（Ｖ１がＹＥＳ）、印字監視タイマが停止中であるか判断し（Ｖ３）、印字監視タイマが停止中であれば、印字監視タイマをスタートし（Ｖ４）、印字監視タイマが動作中であれば、印字監視タイマが１秒経過するのを待ち（Ｖ５）、印字時間を＋１する（Ｖ６）。
【００４６】
このようにして計数される印字監視タイマのカウント値はＥＥＰＲＯＭ４０ａに順次記録され、前述の印刷電力の計算に使用される。
【００４７】
さらに、スリープ時間の計数についても、図１１に示すフローチャートに従って、先ずスリープ状態があるか判断し（ステップ（以下、Ｘで示す）１）、スリープ状態ではない場合（Ｘ１がＮＯ）、不図示のスリープ監視タイマをストップする（Ｘ２）。一方、スリープ状態である場合（Ｘ１がＹＥＳ）、スリープ監視タイマが停止中であるか判断し（Ｘ３）、スリープ監視タイマが停止中であれば、スリープ監視タイマをスタートし（Ｘ４）、スリープ監視タイマが動作中であれば、スリープ監視タイマが１秒経過するのを待ち（Ｘ５）、スリープ時間を＋１する（Ｘ６）。
【００４８】
このようにして計数されるスリープ監視タイマのカウント値はＥＥＰＲＯＭ４０ａに順次記録され、前述のスリープ電力の計算に使用される。
【００４９】
次に、前述の図３に示すフローチャートの処理に戻り、印刷処理が終了すると（Ｓ７がＹＥＳ）、再度電力計算を行う（Ｓ８）。この場合、上記図６〜図１１において説明したカラー印刷やモノクロ印刷の印刷距離、ヒータ時間や、待機時間、印字時間、スリープ時間のデータがＥＥＰＲＯＭ４０ａに更新され、記憶されており、新たなデータに基づいて消費電力の計算が行われる。また、この時ＥＥＰＲＯＭ４０ａに記憶されたデータはメモリ容量も少ないものである。
【００５０】
以上のように本実施形態によれば、従来よりＥＥＰＲＯＭ４０ａに記憶すべきデータの量が減り、従来必要であったモータの積算電力を計算するための２２×６ビット分のメモリ容量を、２２×２ビット分のメモリ容量に減らすことができる。また、従来必要であったリザーブ用のメモリ容量を不要とすることができる。
【００５１】
さらに、本実施形態によれば、印刷速度の変更においても、新たにメモリ領域を確保する必要がなく、容易に対応することができる。
【図面の簡単な説明】
【００５２】
【図１】本実施形態のプリンタ装置の構成図である。
【図２】本実施形態で使用する特定電力値を説明する図である。
【図３】本実施形態の処理を説明するフローチャートである。
【図４】ヒータ時間等の各時間を説明する図である。
【図５】消費電力を計算するフローチャートである。
【図６】カラー印刷処理、又はモノクロ印刷処理の移動距離を計数するフローチャートである。
【図７】ヒータの駆動時間を計数するフローチャートである。
【図８】他のヒータの駆動時間を計数するフローチャートである。
【図９】待機時間を計数するフローチャートである。
【図１０】印字時間を計数するフローチャートである。
【図１１】スリープ時間を計数するフローチャートである。
【符号の説明】
【００５３】
１・・・プリンタ
２・・・画像形成部
３・・・中間転写ベルトユニット
４・・・給紙部
５・・・両面印刷用搬送ユニット
６、６Ｍ、６Ｃ、６Ｙ、６Ｋ・・画像形成ユニット
７・・・感光体ドラム
８・・・クリーナ
９・・・帯電ローラ
１０・・光ヘッド
１１・・帯電器
１２・・現像器
１３・・現像ローラ
１４・・転写ベルト
１５・・駆動ローラ
１６・・従動ローラ
１７・・ベルト位置制御機構
１８・・一次転写ローラ
１９・・廃トナー回収容器
２１・・給紙カセット
２２・・用紙取出ローラ
２３・・給送ローラ
２４・・捌きローラ
２５・・待機搬送ローラ対
２６・・二次転写ローラ
２７・・ベルト式熱定着装置
２８・・搬出ローラ対
２９・・排紙トレイ
３１・・排紙ローラ対
３２ａ・・開始返送路
３２ｂ・・中間返送路
３２ｃ・・終端返送路
３３ａ、３３ｂ、３３ｃ、３３ｄ・・返送路
３５・・クリーニング部
３６・・取り込みローラ
３７・・押圧ローラ
４０・・制御部
４０ａ・・ＥＥＰＲＯＭ
４１、４２・・ヒータ
【図２】
2010149451.tif 000003
【図３】
2010149451.tif 000004
【図４】
2010149451.tif 000005
【図５】
2010149451.tif 000006
【図６】
2010149451.tif 000007
【図７】
2010149451.tif 000008
【図８】
2010149451.tif 000009
【図９】
2010149451.tif 000010
【図１０】
2010149451.tif 000011
【図１１】
2010149451.tif 000012
【図１】
2010149451.tif 000013